(57)【要約】【課題】  「縄手スタイル」を基本としつつ豊富なバリエーションの展開が可能で、眼鏡フレームに限らずアクセサリ等にも適用が可能な金属撚り線を提供する。【解決手段】  複数本の金属線を撚り合わせてなる金属撚り線において、前記複数本の金属線を、少なくとも一本の第一の金属線１１と他の第二の金属線１２とに分け、第一の金属線１１と第二の金属線１２とは異なる性状の金属線から形成し、第一の金属線１１と第二の金属線１２とを撚り合わせることで、第一の金属線１１と第二の金属線１２とが互いに撚り合わさりつつ、第一の金属線１１又は第二の金属線１２の周りに第二の金属線１２又は第一の金属線１１が蔦状に巻き付く形態とした。前記性状の相違は、前記金属線の径、断面形状、硬度、伸び率またはこれらのうちの二以上の組み合わせでもよい。【選択図】  図１
2019086603.tif 000002
【特許請求の範囲】
【請求項１】
複数本の金属線を撚り合わせてなる金属撚り線において、
前記複数本の金属線を、少なくとも一本の第一の金属線と他の第二の金属線とに分け、
前記第一の金属線と前記第二の金属線とを異なる性状の金属線から形成し、
前記第一の金属線と前記第二の金属線とを撚り合わせることで、前記第一の金属線と前記第二の金属線とが互いに撚り合わさりつつ、前記第一の金属線又は前記第二の金属線の周りに前記第二の金属線又は前記第一の金属線が蔦状に巻き付く形態としたこと、
を特徴とする金属撚り線。
【請求項２】
前記性状が、前記金属線の径、断面形状、硬度、伸び率のいずれか又はこれらのうちの二以上の組み合わせであることを特徴とする請求項１に記載の金属撚り線。
【請求項３】
前記第一の金属線又は前記第二の金属線の少なくとも一方が金属撚り線であることを特徴とする請求項１又は２に記載の金属撚り線。
【請求項４】
複数本の前記第一の金属線又は複数本の前記第二の金属線を密接状態で他方の前記金属線の周囲に蔦状に巻き付けたこと、
を特徴とする請求項１〜３のいずれかに記載の金属撚り線。
【請求項５】
前記第一の金属線及び前記第二の金属線の一方がチタン合金で形成され、他方が純チタンで形成されていることを特徴とする請求項１〜４のいずれかに記載の金属撚り線。
【請求項６】
前記第一の金属線及び前記第二の金属線の少なくとも一方に塗膜層、メッキ層、コーティング層又は酸化被膜層を含む表面処理層を形成したことを特徴とする請求項１〜５のいずれかにに記載の金属撚り線。
【請求項７】
撚り合わせた前記第一の金属線及び前記第二の金属線に周囲から押圧力を付与して塑性変形させたことを特徴とする請求項１〜６のいずれかに記載の金属撚り線。
【請求項８】
複数本の金属線を撚り合わせてなる金属撚り線の製造方法において、
前記複数本の金属線を、少なくとも一本の第一の金属線と他の第二の金属線とに分け、
前記第二の金属線とは異なる性状の金属から形成された前記第一の金属線を準備し、
前記第一の金属線と第二の金属線とを撚り合わせたこと、
を特徴とする金属撚り線の製造方法。
【請求項９】
予め前記第一の金属線又は前記第二の金属線に表面処理を施すか、撚り合わせた後に前記第一の金属線又は前記第二の金属線に表面処理を施すことを特徴とする請求項７に記載の金属撚り線の製造方法。
【請求項１０】
前記第一の金属線と前記第二の金属線とを撚り合わせた後に、前記第一の金属線及び前記第二の金属線の周囲から押圧力を付与して塑性変形させたことを特徴とする請求項８又は９に記載の金属撚り線の製造方法。
【発明の詳細な説明】
【技術分野】
【０００１】
本発明は、複数の金属線を撚り合わせて形成される金属撚り線に関し、特に、複数の金属線のうちの一部の金属線の周囲に他の金属線が蔦状に巻き付いた新しいデザインの金属撚り線及びその製造方法に関する。
【背景技術】
【０００２】
金属撚り線は、例えば眼鏡フレームのテンプルやリムなどに利用されている（例えば特許文献１〜６参照）。図７は、金属撚り線１′を用いた眼鏡フレームのテンプルＴを示すものである。このようなテンプルＴを有する眼鏡フレームはいわゆる「縄手スタイル」として市販されていて、軽量で掛け心地がよく、かつ、デザイン性にも優れることから、近年人気が高まりつつある。
【先行技術文献】
【特許文献】
【０００３】
【特許文献１】実公昭６１−４４１８６号公報
【特許文献２】実公昭６２−３２２６３号公報
【特許文献３】特開平５−２２４１６１号公報
【特許文献４】実開平７−０２９５１８号公報
【特許文献５】実用新案登録第２６０７１０７号公報
【特許文献６】実用新案登録第２５４１７１９号公報（図面の図１及び段落００１４の記載参照）
【発明の開示】
【発明が解決しようとする課題】
【０００４】
しかし、このような従来の「縄手スタイル」は、その形態が比較的単調で、デザインの種類も少なく、長期的には飽きられ易いという問題がある。そのため、「縄手スタイル」においても豊富なバリエーションが求められている。
本発明はこのような要求に鑑みてなされたもので、「縄手スタイル」を基本としつつ豊富なバリエーションの展開が可能で、眼鏡フレームに限らずアクセサリ等にも適用が可能な金属撚り線及びその製造方法の提供を目的とする。
【課題を解決するための手段】
【０００５】
上記課題を解決するために本発明の金属撚り線は、複数本の金属線を撚り合わせてなる金属撚り線において、前記複数本の金属線を、少なくとも一本の第一の金属線と他の第二の金属線とに分け、前記第一の金属線と前記第二の金属線とを異なる性状の金属線から形成し、前記第一の金属線と前記第二の金属線とを撚り合わせることで、前記第一の金属線と前記第二の金属線とが互いに撚り合わさりつつ、前記第一の金属線又は前記第二の金属線の周りに前記第二の金属線又は前記第一の金属線が蔦状に巻き付く形態とした構成としている。
【０００６】
前記性状には、前記金属線の径、断面形状、硬度、伸び率などが含まれる。また、これらのうちの二以上の組み合わせでもよい。前記第一の金属線又は前記第二の金属線の少なくとも一方を金属撚り線としてもよく、複数本の前記第一の金属線又は複数本の前記第二の金属線を密接状態で他方の前記金属線の周囲に蔦状に巻き付けた形態としてもよい。
また、前記第一の金属線及び前記第二の金属線の一方をチタン合金で形成し、他方が純チタンで形成してもよい。
【０００７】
さらに、予め前記第一の金属線又は前記第二の金属線に表面処理を施すか、撚り合わせた後に前記第一の金属線又は前記第二の金属線に表面処理を施すなどして、前記第一の金属線及び前記第二の金属線の少なくとも一方にコーティング層、塗膜層、メッキ層又は酸化被膜層を含む表面処理層を形成してもよい。
また、撚り合わせた前記第一の金属線及び前記第二の金属線に周囲から押圧力を付与して塑性変形させてもよい。なお、付与する前記押圧力としては、プレス、圧延、スウェージングなどを挙げることができる。
【発明の効果】
【０００８】
本発明では、性状の異なる金属線を複数撚り合わせることで、前記第一の金属線又は前記第二の金属線の周りに、前記第二の金属線又は前記第一の金属線が蔦状に巻き付いた形態となる。このような形態は、眼鏡フレームの分野において縄手スタイルとして一般に知られている形態とは異なるものである。また、前記第一の金属線と前記第二の金属線の性状を種々に変化させたり、前記第一の金属線又は前記第二の金属線として金属撚り線を用いたり、塗装やメッキなどの表面処理を施したりすることで、縄手スタイルのバリエーションを簡単に増やすことができる。
【発明を実施するための最良の形態】
【０００９】
以下、本発明の好適な実施形態を、図面を参照しつつ詳細に説明する。
図１は、本発明の第一の実施形態にかかり、（ａ）は金属撚り線の一部を示す図、（ｂ）は（ａ）の金属撚り線の断面図、（ｃ）は寄りあわせた後における第一の金属線の形態を説明する図である。
この実施形態では、金属撚り線１は断面円形状の三本の金属線から形成されるものとし、そのうちの一本の金属線（第一の金属線）１１が他の二本の金属線（第二の金属線）１２よりも大径としてある。
また、この実施形態では、第一の金属線１１は第二の金属線１２よりも高い硬度のβチタンなどのチタン合金で形成され、第二の金属線１２は第一の金属線１１よりも硬度の小さい（軟らかい）純チタンなどで形成される。
【００１０】
三本の金属線１１，１２，１２から金属撚り線１を形成する撚り線製造装置２の概略構成を図２（ａ）に示す。また、図２（ｂ）は、図２（ａ）の撚り線製造装置２を矢印Ｉ方向から見た図である。図２に示す撚り線製造装置２は、金属線供給部２１と撚り線形成部２２とを備える公知のものである。三つの金属線供給部２１のうちの一つに第一の金属線１１を巻いたドラムが割り当てられ、他の二つに第二の金属線１２を巻いたドラムが割り当てられる。
【００１１】
大径の第一の金属線１１と小径の第二の金属線１２，１２とを撚り線形成部２２に供給して金属撚り線１を形成すると、変形しにくい大径の第一の金属線１１の周囲に第二の金属線１２が蔦状に絡まった形態となる。二本の第二の金属線１２を密接させた状態で金属撚り線１を形成すると、図１（ａ）（ｂ）に示すように、二本の金属線１２が第一の金属線１１の周囲に蔦状に絡まった形態となる。
【００１２】
図１（ｃ）に示すように、第一の金属線１１は撚りによって波状になり、波と波の間に第二の金属線１２が蔦状に絡まるため、第一の金属線１１と第二の金属線１２とが強固に絡み合い、金属撚り線１を眼鏡フレームのテンプルＴに応じた一定の長さに切断しても、第一の金属線１１と第二の金属線１２とが解けることはない。
【００１３】
図３は、本発明の金属撚り線１の別の実施形態を示すもので、大径の一本の金属線（第一の金属線）１１とこれより小径の三本の金属線（第二の金属線）１２から金属撚り線１を形成している。この実施形態では、図１（ｂ）のように二本の第二の金属線１２を密接させ、この二本の第二の金属線１２と離間させた状態で残りの一本の第二の金属線１２を配置している。これら四本の金属線１１，１２，１２，１２を撚り線製造装置２（図２参照）に投入して形成される金属撚り線１は、図３（ｂ）に示すように、密接状態の二本の第二の金属線１２の間に他の一本の第二の金属線１２が位置した状態で、三本の第二の金属線１２が第一の金属線１１に蔦状に絡みついた形態となる。
【００１４】
なお、この実施形態では、第一の金属線１１の硬度を第二の金属線１２の硬度よりも小さく（軟らかく）することで、第一の金属線１１の外周に第二の金属撚り線１２が食い込んだ状態となり、図１（ｃ）に示すような第一の金属線１１の波形と相俟って、三本の第二の金属線１２と第一の金属線１１とが強固に絡み合う。この実施形態では、第一の金属線１１として例えば純チタンを、第二の金属線１２として例えばβチタンなどのチタン合金を採用するとよい。
【００１５】
図４は、本発明の金属撚り線のさらに別の実施形態を示す図で、（ａ）の例では同径の三本の金属線１１，１２から金属撚り線１を形成している。第一の金属線１１の硬度を第二の金属線１２よりも高い（硬い）ものとすることで、図１（ａ）の実施形態のように、第一の金属線１１の周囲に密接状態の二本の第二の金属線１２が蔦状に絡まった金属撚り線１を形成することができる。
【００１６】
（ｂ）の例では、同径の四本の金属線１１，１２から金属撚り線１を形成している。第一の金属線１１の硬度を第二の金属線１２よりも高い（硬い）ものとすることで、第一の金属線１１の周囲に密接状態の三本の第二の金属線１２が蔦状に絡まった金属撚り線１を形成することができる。
（ｃ）の(i)の例では、断面四角形状の第一の金属線１１と断面円形状の二本の第二の金属線１２を撚り合わせており、(ii)の例では、断面円形状の第一の金属線１１と断面六角形状の二本の第二の金属線１２を撚り合わせている。
また、（ｄ）の例では、断面不定形状の第一の金属線１１と二本を密接させた状態の二組の第二の金属線１２と撚り合わせている。
さらに（ｅ）の例では、第一の金属線１１が複数の金属素線１１ａから形成された金属撚り線としてある。
【００１７】
このように、第一の金属線１１の断面形状は、円形や楕円形に限らず、角形、多角形、不定形など種々の形態を採用することができる。また、第二の金属線１２の断面形状も、円形や楕円形に限らず、角形、多角形、不定形など種々の形態を採用することができる。
【００１８】
図５は、図４（ｃ）(ii)の実施形態における金属撚り線１を示す写真で、直径１．２ｍｍのβチタンで形成された断面円形状の第一の金属線１１と、外接円径０．９ｍｍの純チタンで形成された断面六角形状の二本の第二の金属線１２とを撚り合わせている。この例では、撚り合わせた後に金属撚り線１に陽極酸化処理を施している。陽極酸化処理により、βチタンの第一の金属線１１と純チタンの第二の金属線１２には異なる色の酸化被膜が形成され、二色が交互に入れ替わる彩色模様の金属撚り線１を得ることができる。
【００１９】
特に図示はしないが、図３及び図４に示した他の実施形態の金属撚り線１においても、第一の金属線１１と複数の第二の金属線１２の各々を異なる金属で形成し、これら第一の金属線１１及び複数の第二の金属線１２から形成された金属撚り線１に陽極酸化や塗装、メッキ、樹脂コーティングなどの表面処理を行うことで、複数色が交互に入れ替わる彩色模様の金属撚り線１を得ることができる。
また、第一の金属線１１や第二の金属線１２に予め陽極酸化や塗装、メッキ、樹脂コーティングなどの表面処理を施しておき、これら第一の金属線１１及び第二の金属線１２を撚り合わせるようにしてもよい。
【００２０】
上記の各実施形態により得られた金属撚り線１は、用途に応じて適宜の長さに切断したり、曲げ加工を施したりして眼鏡フレームやアクセサリなどの用途に用いることができる。図６は金属撚り線１を眼鏡フレームのテンプルＴに用いた適用例を示すもので、テンプルＴの前部に金属撚り線１を用いている。
【００２１】
本発明の好適な実施形態について説明したが、本発明は上記の説明に限定されない。
例えば、第一の金属線１１及び第二の金属線１２の材質としてβチタンなどのチタン合金及び純チタンを例に挙げたが、第一の金属線１１及び第二の金属線１２は他の金属材料、例えばステンレスや銅、金、アルミなどで形成されていてもよい。また、本発明の金属撚り線は、眼鏡フレームやアクセサリなどの用途に限られない。さらに眼鏡フレームに本発明の金属撚り線を適用する場合、テンプルに限らずフロントフレームやリムなど他の部位にも適用が可能である。
また、上記の説明では、第一の金属線１１と第二の金属線１２の性状の違いとして径、断面形状及び硬度を例に挙げたが、伸び率など他の性状の相違であってもよいし、二以上の異なる性状の組み合わせでもよい。
また、図４（ｅ）では第一の金属線１１が複数の金属素線１１ａから形成された金属撚り線であるとして説明したが、第二の金属線１２のうちの少なくとも一本が複数本の金属素線から形成された金属撚り線であってもよい。
さらに、撚り合わせた第一の金属線１１及び第二の金属線１２に周囲から押圧力を付与して塑性変形させてもよい。前記押圧力は、プレス、圧延、スウェージングなどで付与することができ、所望の塑性変形を一回の押圧力の付与で得られるようにしてもよいし、前記所望の塑性変形となるまで前記押圧力を複数回付与するようにしてもよい。
【図面の簡単な説明】
【００２２】
【図１】本発明の第一の実施形態にかかり、（ａ）は金属撚り線の一部を示す図、（ｂ）は（ａ）の金属撚り線の断面図、（ｃ）は寄りあわせた後における第一の金属線の形態を説明する図である。
【図２】（ａ）は本発明の金属撚り線を製造するための撚り線製造装置の概略図、（ｂ）は（ａ）の撚り線製造装置を矢印Ｉ方向から見た図である。
【図３】本発明の金属撚り線の別の実施形態を示す図で、大径の一本の第一の金属線と三本の第二の金属線から形成した金属撚り線を示すものである。
【図４】本発明の金属撚り線のさらに別の実施形態を示す図である。
【図５】図４（ｃ）(ii)の実施形態における金属撚り線を示す写真である。
【図６】金属撚り線を眼鏡フレームのテンプルに用いた適用例を示す図である。
【図７】本発明の従来例にかかり、金属撚り線を用いた眼鏡フレームのテンプルを示す図である。
【符号の説明】
【００２３】
１，１′  金属撚り線
１１      第一の金属線
１１ａ    金属素線
１２      第二の金属線
２        撚り線製造装置
２１      金属線供給部
２２      撚り線形成部
Ｔ        テンプル
Ｃ        中心線
【図１】
2019086603.tif 000003
【図２】
2019086603.tif 000004
【図３】
2019086603.tif 000005
【図４】
2019086603.tif 000006
【図５】
2019086603.tif 000007
【図６】
2019086603.tif 000008
【図７】
2019086603.tif 000009